(57)【要約】【課題】大掛かりな設備を要することなく、一般家庭等に簡単に設置できて、手軽に使用できると共に、血行促進、疲労回復の効果に加えてリラクゼーション効果を奏することのできる塩製健康ブロックを提供する。【解決手段】精製塩の溶融成形物からなるブロック本体１と、ブロック本体１内に設けられ、ブロック本体１を加熱するヒーター２と、このヒーター２にリード線３を介して接続され、ヒーター２の温度調整等を行うコントローラー４とによって構成される。【選択図】図１
2009279137.tif 000002
【特許請求の範囲】
【請求項１】
精製塩の溶融成形物からなるブロック本体と、ブロック本体内に設けられ、ブロック本体を加熱するヒーターと、このヒーターにリード線を介して接続され、ヒーターの温度調整等を行うコントローラーとを備えてなる塩製健康ブロック。
【請求項２】
本体ブロックには、使用者のお尻等の身体の一部に対応する形状の係合部が形成されている請求項１に記載の塩製健康ブロック。
【発明の詳細な説明】
【技術分野】
【０００１】
本発明は、温熱効果を利用して病気や症状改善、健康の増進を図ることのできる塩製の健康ブロックに関するもので、腰掛け、枕、背当て、腹当て等として使用される。
【背景技術】
【０００２】
この種の従来技術として、特許公報等の具体的な公知文献を挙げることはできないが、従来より温熱効果を利用した健康設備が種々提供されている。近年脚光を浴びているものに岩盤浴があり、この岩盤浴は、体温より多少高い４０℃〜４５℃に温めた天然石を加工したベッドの上に横になって汗をかくサウナ形式の風呂の一種で、温めた天然石から放射される遠赤外線による発汗作用によって新陳代謝の活発化を促し、美容と健康の増進を図るものとして、温浴施設で人気がある。
【発明の開示】
【発明が解決しようとする課題】
【０００３】
しかしながら、上記のような岩盤浴やサウナ風呂は、可なり大掛かりな設備を要して、設備費が高くつくため、一般家庭等で簡単に設置するというわけにはいかない。そこで、本発明は、大掛かりな設備を要することなく、一般家庭等に簡単に設置できて、手軽に使用できると共に、血行促進、疲労回復の効果に加えてリラクゼーション効果を奏することのできる塩製健康ブロックを提供することを目的とする。
【課題を解決するための手段】
【０００４】
上記課題を解決するための手段を、後述する実施形態の参照符号を付して説明すると、請求項１に係る発明の塩製健康ブロックは、精製塩の溶融成形物からなるブロック本体１，１１，２１と、ブロック本体１，１１，２１内に設けられ、ブロック本体１，１１，２１を加熱するヒーター２と、このヒーター２にリード線３を介して接続され、ヒーター２の温度調整等を行うコントローラー４とを備えてなることを特徴とする。
【０００５】
請求項２は、請求項１に記載の健康ブロックにおいて、ブロック本体１，１１，２１には、使用者のお尻Ｈ等の身体の一部に対応する形状の係合部５，１５，２５が形成されていることを特徴とする。
【発明の効果】
【０００６】
上記解決手段による発明の効果を、後述する実施形態の参照符号を付して説明すると、請求項１に係る発明によれば、塩製健康ブロックの使用にあたり、コントローラー４によってブロック本体１，１１，２１の温度を所要温度に設定すると、ヒーター２の発熱作用によって、ブロック本体１，１１，２１が所要温度に加熱される。しかして、使用者は、加温すべき体の一部を、床等に設置したブロック本体２１に当てつけると、ブロック本体２１から遠赤外線及びマイナスイオンが放射され、血液の循環が良くなって、新陳代謝が促進され、体の細胞が活性化されると共に、血行促進、疲労回復の効果に加えてリラクゼーション効果を発揮することができる。また、この塩製健康ブロックは、安価に製作可能で、どこへでも容易に移動できて、手軽に使用することができる。
【０００７】
請求項２に記載のように、ブロック本体１，１１，２１には使用者のお尻Ｈ等の身体の一部に対応する形状の係合部５，１５，２５が形成されているから、加温すべきお尻Ｈ等の身体の一部をブロック本体１，１１，２１の係合部５，１５，２５に係合させることにより、その身体の一部をブロック本体１，１１，２１に対し違和感なく当てつけることができると共に、有効に加温することができる。
【発明を実施するための最良の形態】
【０００８】
以下に、本発明の好適な実施形態を図面に基づいて説明すると、図１の(a) は本発明に係る塩製健康ブロックＡの斜視図、(b) は同ブロックＡの使用状態を示す断面図である。この塩製健康ブロックＡは、腰掛けとして使用されるもので、精製塩の溶融成形物からなるブロック本体１と、このブロック本体１内に設けられ、ブロック本体１を加熱するヒーター２と、このヒーター２及び電源にリード線３を介して接続されたコントローラー４とを備えて構成される。
【０００９】
ブロック本体１は、加熱溶融した精製塩を所要の成形型に流し入れて冷却固化することにより製造されたもので、全体として分厚い丸形の座布団のような形に形成されていて、その上に使用者が腰をかけることができるように、その上面側には使用者のお尻Ｈ（図１の(b) 参照）の凹凸部に対応する形状の係合部５が形成されている。
【００１０】
また、ブロック本体１の下面側にはヒーター埋め込み用の凹部６が形成され、この凹部６の底にヒーター２が挿入された後、この凹部６に、ブロック本体１と同じ精製塩の溶融成形物からなる凹部埋め用ブロック片１ａが嵌合固定される。ヒーター２から導出したリード線３は、凹部６に連通形成されたリード線案内溝１ａｏに沿って外部に延出される。ブロック本体１の底面には、図１の(a) ，(b) に示すように、適当な合成樹脂材からなる接地ベース７を取り付けることができる。
【００１１】
ヒーター２としては、例えば面状ヒーターを使用することができる。この面状ヒーターは、図示は省略するが、発熱体基板と、この発熱体基板の下面に添装された断熱材と、これらを被包するカバー部材とによってシート状に形成されたものである。
【００１２】
図２は上記塩製健康ブロックＡの電気回路を示すブロック図である。この図において、８は電源を示す。この電源８は、図１の(a) に示すリード線３の端部に取り付けている差し込みプラグ８を建物の壁面等に設けてあるコンセントに差し込むことにより簡単に確保できるし、また充電可能なバッテリーを使用してもよい。そして、コントローラー４は、電源スイッチのオン・オフ操作、温度調整、温度設定、タイマーによる加熱時間設定等を行うようになっている。
【００１３】
上記のように構成される塩製健康ブロックＡの使用にあたり、プラグ８を最寄りのコンセントに差し込み、コントローラー４によってヒーター２の電源スイッチをオンにし、加熱温度を４０℃〜５０℃の所要温度に設定すると、ヒーター２の発熱作用によって、ブロック本体１が４０℃〜５０℃の所要温度に加熱される。
【００１４】
こうしてブロック本体１が所要温度に加熱された状態で、使用者が図１の(b) に示すように、ブロック本体１の上に腰を下ろし、その上面の、お尻Ｈの形をした係合部５にお尻Ｈをフィットさせることにより、お尻Ｈ全体が有効に加温されると共に、使用者にとって違和感がないため使用し易い。
【００１５】
上記のように使用者のお尻Ｈ全体が有効に加温されると共に、発熱される精製塩の溶融成形物からなるブロック本体１からは遠赤外線が放射されるため、その熱エネルギーは、お尻Ｈから体の深部に吸収されていって、その温熱効果を十分に発揮することができる。この温熱効果としては、血液の循環が良くなって、新陳代謝が良好となり、体の細胞が活性化されて、体の各種機能が高められ、疾患のある人は症状が改善され、健康な人はその健康が維持され、疲労の回復が早くなる。また、加熱されるブロック本体１からはマイナスイオンも放射され、そのマイナスイオンは、お尻Ｈの皮膚を浸透し、毛細血管に到達して血液の流れをスムーズにし、新陳代謝を促進すると共に、自律神経の乱れを整え、心身を健やかに保つなどリラクゼーション効果を発揮することができる。
【００１６】
図３の(a) は本発明に係る他の塩製健康ブロックＢを示す斜視図、(b) は同ブロックＢの使用状態を示す側面図である。この塩製健康ブロックＢは、枕として使用するもので、精製塩の溶融成形物からなるブロック本体１１と、このブロック本体１１内に設けられ、ブロック本体１１を加熱するヒーター２と、このヒーター２及び電源にリード線３を介して接続されたコントローラー４とを備えて構成される。
【００１７】
ブロック本体１１は、前記ブロック本体１１と同様に加熱溶融した精製塩を所要の成形型に流し入れて冷却固化することにより製造されたもので、その上面側には使用者の頭Ｋの後頭部から頸部の形状に対応する凹凸状の係合部１５が形成されている。このブロック本体１１以外のヒーター２及びコントローラー４については、前記ブロック本体１のものと同じある。
【００１８】
この塩製健康ブロックＢの使用にあたっては、コントローラー４によってヒーター２の電源スイッチをオンにし、ブロック本体１１の温度を使用者の体温より低い３０℃以下の適当な温度に設定すればよい。しかして、使用者は、図３の(b) に示すように、床等に設置したブロック本体１１の凹凸状係合部１５に頭Ｋの後頭部から頸部分をフィットさせた状態にすれば、ブロック本体１１がヒーター２により適温に加熱されることにより、そのブロック本体１１から遠赤外線及びマイナスイオンが放射され、それによって新陳代謝が良好となり、体の細胞が活性化され、精神的にリラックスでき、心身をリフレッシュできるようになる。
【００１９】
図４の(a) は本発明に係る更に他の塩製健康ブロックＣを示す斜視図、(b) 及び(c) は同ブロックＣの使用状態を示す側面図である。この塩製健康ブロックＣは、背当て及び腹当てとして使用するもので、精製塩の溶融成形物からなるブロック本体２１と、このブロック本体２１内に設けられ、ブロック本体１１を加熱するヒーター２と、このヒーター２及び電源にリード線３を介して接続されたコントローラー４とによって構成される。
【００２０】
ブロック本体２１は、前記ブロック本体１，１１と同様に加熱溶融した精製塩を所要の成形型に流し入れて冷却固化することにより製造されたもので、その上面側には使用者の背部Ｍから腰部Ｎにわたる形状に対応する山形状係合部２５が形成されている。ヒーター２及びコントローラー４については、前記ブロック本体１，１１のものと同じある。
【００２１】
この塩製健康ブロックＣの使用にあたっては、コントローラー４によってヒーター２の電源スイッチをオンにし、ブロック本体２１の温度を４０℃〜５０℃の所要温度に設定すると、ヒーター２の発熱作用によって、ブロック本体２１が４０℃〜５０℃の所要温度に加熱される。しかして、使用者は、例えば図４の(b) に示すように、仰向きになって、床等に設置したブロック本体２１の山形状係合部２５に背中から腰の部分を係合させ、あるいは同図の(c) に示すように腹這いになって、ブロック本体２１の山形状係合部２５に腹部を乗せた状態にすれば、ブロック本体２１がヒーター２によって所望温度に加熱されることにより、そのブロック本体２１から遠赤外線及びマイナスイオンが放射され、血液の循環が良くなって、新陳代謝が促進され、体の細胞が活性化されると共に、自律神経の乱れを整え、全身の倦怠感を取り除いてリラクゼーション効果を発揮することができる。
【００２２】
以上の実施形態では、ブロック本体１，１１，２１に、使用者の身体の一部に対応する形状の係合部５，１５，２５を形成しているが、このような係合部５，１５，２５を形成せず、上面を平面状に形成したものでもよく、また例えば全体が扁平板状のマット形状でもよい。但し、この実施形態のように、使用者の身体の一部に対応する形状の係合部５，１５，２５を形成すれば、加温する際にその身体の一部をブロック本体１，１１，２１に対して違和感なく当てつけることができると共に、有効に加温することができる。
【図面の簡単な説明】
【００２３】
【図１】(a) は本発明に係る塩製健康ブロックの斜視図、(b) は同ブロックの使用状態を示す断面図である。
【図２】図１に示す塩製健康ブロックの電気回路を示すブロック図である。
【図３】(a) は本発明に係る他の塩製健康ブロックを示す斜視図、(b) は同ブロックの使用状態を示す側面図である。
【図４】本発明に係る更に他の塩製健康ブロックを示す斜視図、(b) 及び(c) は同ブロックの使用状態を示す側面図である。
【符号の説明】
【００２４】
１        ブロック本体
２        ヒーター
３        リード線
４        コントローラー
５        係合部
１１      ブロック本体
１５      係合部
２１      ブロック本体
２５      係合部
【図１】
2009279137.tif 000003
【図２】
2009279137.tif 000004
【図３】
2009279137.tif 000005
【図４】
2009279137.tif 000006